(57)【要約】【課題】乾電池の長さ方向の衝撃や振動に対して乾電池のプラス端子を保護することが可能な電池収容装置を提供する。【解決手段】電池収容装置１は、乾電池Ｂ１及びＢ２を収容する電池収容部１０と、その短壁部１４及び１５の内壁部１４ｉａ及び１５ｉｂと、プラス電極２２及び２４と、マイナス電極２１及び２３とを備え、電池室１０ａ及び１０ｂは、内壁部１４ｉａ及び１５ｉｂに形成された、乾電池Ｂ１及びＢ２のプラス端子Ｐ１及びＰ２を収容する凹部１２及び１３と、凹部１２及び１３の周囲に設けられた、乾電池Ｂ１及びＢ２のプラス端子の周囲の端面Ｓ１及びＳ２と当接する支持面１４ｓ及び１５ｓとを備える。【選択図】図５
2019212555.tif 000002
【特許請求の範囲】
【請求項１】
乾電池を収容する電池収容部と、
前記電池収容部の内側における前記乾電池のプラス端子と対向する部位に設けられ、当該プラス端子と接触するプラス電極と、
前記電池収容部の内側における前記乾電池のマイナス端子と対向する部位に設けられ、当該マイナス端子と接触するマイナス電極と、を備え、
前記電池収容部は、前記プラス端子と対向する部位に設けられた、前記乾電池の前記プラス端子を収容する凹部と、前記凹部の周囲に形成された、前記乾電池の前記プラス端子の周囲の端面と当接する支持面と、を備えることを特徴とする電池収容装置。
【請求項２】
前記プラス電極は、前記乾電池の長さ方向に沿って弾性変形する部材から構成されている請求項１に記載の電池収容装置。
【請求項３】
前記プラス電極は板バネから構成されており、
前記凹部は上部が開放されており、
前記板バネは、その板状の電極部の一端部が前記凹部の奥側の下方に固定され、他端側が前記凹部の手前側の上方に向かって斜めに起立した状態で配設され、この起立状態の電極部が乾電池を収容する時に前記プラス端子に押されて弾性変形し前記凹部の奥側へと押し込まれるように構成されており、
前記電池収容部の前記奥側へと押し込まれた前記電極部の上端部の上部位置には、前記上端部を隠す天井部が設けられている請求項２に記載の電池収容装置。
【請求項４】
前記凹部は、前記プラス端子の収容位置から上方が下方よりも幅広となっていると共に上部が開放されている請求項１から３のいずれか１項に記載の電池収容装置。
【請求項５】
前記プラス電極は、前記プラス端子との接触部分が前記凹部の入口よりも内側に位置するように配設されている請求項１から４のいずれか１項に記載の電池収容装置。
【発明の詳細な説明】
【技術分野】
【０００１】
本発明は、乾電池を収容する電池収容部を備えた電池収容装置に関する。
【背景技術】
【０００２】
従来、電子機器の電源として乾電池が使用されている。乾電池は複数本を直列又は並列接続することで所望の電圧の電力が得られる。このことから、複数の乾電池を電子機器に設けられた電池収容装置にて直列又は並列接続したり、電子機器とは別体の電池収容装置にて直列又は並列接続し、この電池収容装置を電子機器に設けられた収容部に収容したりして所望の電力を得ている。
例えば、特許文献１の電池収容装置は、電池が一列あたり複数個並べて収容される収容部に、各電池間を仕切る仕切り部及び中間電極が設けられているものである。仕切り部を設けることによって各乾電池を強固に保持し、かかる電池収容装置を備えた電子機器を落下させたり、ぶつけたりした場合、その衝撃で電池が収容部から飛び出してしまうのを防ぐようにしている。
【先行技術文献】
【特許文献】
【０００３】
【特許文献１】実開平２−１２９６６８号公報
【発明の概要】
【発明が解決しようとする課題】
【０００４】
しかしながら、上記特許文献１の従来技術では、収容部のプラス電極とマイナス電極との間でプラス端子とマイナス端子の２点で各乾電池を支持している。そのため、落下させたり、ぶつけたりした場合の電池長さ方向の衝撃及び振動の殆ど全ては、収容部側の電極を介して乾電池のプラス端子とマイナス端子とにかかる。特に、突出した構成のプラス端子は平坦な構成のマイナス端子よりも電池長さ方向の衝撃に弱く、突出部分が陥没するなどの破損が生じる場合があった。
そこで、本発明は、このような問題点に着目してなされたものであって、乾電池の長さ方向の衝撃及び振動に対して乾電池のプラス端子を保護することが可能な電池収容装置を提供することを課題とする。
【課題を解決するための手段】
【０００５】
上記課題を解決するために、本発明の第１の態様に係る電池収容装置は、乾電池を収容する電池収容部と、前記電池収容部の内側における前記乾電池のプラス端子と対向する部位に設けられ、当該プラス端子と接触するプラス電極と、前記電池収容部の内側における前記乾電池のマイナス端子と対向する部位に設けられ、当該マイナス端子と接触するマイナス電極と、を備える。更に、前記電池収容部は、前記プラス端子と対向する部位に設けられた、前記乾電池の前記プラス端子を収容する凹部と、前記凹部の周囲に形成された、前記乾電池の前記プラス端子の周囲の端面と当接する支持面と、を備える。
【発明の効果】
【０００６】
本発明によれば、電池収容部のプラス電極の取付位置に、乾電池のプラス端子を収容する凹部を設け且つ凹部の周囲に乾電池のプラス端子の周囲の端面と当接する支持面を形成した。これによって、乾電池の収容時に、そのプラス端子を凹部の奥行き方向の突き当たりの面に衝突しない状態で収容することが可能であると共に、凹部の周囲の面にて乾電池のプラス端子の周囲の端面を支持することが可能である。その結果、乾電池のプラス端子へと乾電池の長さ方向の衝撃や振動の殆どが直接伝わるのを防ぐことが可能となり、乾電池の長さ方向の衝撃や振動からプラス端子を保護することが可能となる。
【図面の簡単な説明】
【０００７】
【図１】実施形態に係る電池収容装置の平面図である。
【図２】図１のＡ−Ａ線断面図である。
【図３】実施形態に係る電池収容装置の斜視図である。
【図４】（ａ）は、図２のＣ部拡大図であり、（ｂ）は、図１のＢ−Ｂ線断面図から電極部品を除いた図、（ｃ）は、図３のＤ部拡大図である。
【図５】（ａ）は、図１において電池を収容した状態を示す図であり、（ｂ）は、（ａ）のＥ−Ｅ線断面図におけるプラス電極側の一部を示す図である。
【図６】（ａ）は、図１において２本の電池うちの１本を逆方向に収容した状態を示す図であり、（ｂ）は、（ａ）のＦ−Ｆ線断面図におけるプラス電極側の一部を示す図である。
【図７】実施形態に係る電池収容装置の変形例を示す図であり、図２のＣ部拡大図に相当する図である。
【発明を実施するための形態】
【０００８】
以下、本発明に係る電池収容装置の一実施形態について、図面を適宜参照しつつ説明する。なお、図面は模式的なものである。そのため、厚みと平面寸法との関係、比率等は現実のものとは異なる場合があることに留意すべきであり、図面相互間においても互いの寸法の関係や比率が異なる部分が含まれている場合がある。また、以下に示す実施形態は、本発明の技術的思想を具体化するための装置や方法を例示するものであって、本発明の技術的思想は、構成部品の材質、形状、構造、配置等を下記の実施形態に特定するものではない。
【０００９】
（実施形態）
（構成）
図１〜図３に示すように、本発明の実施形態に係る電池収容装置１は、正面視で略矩形状の開口部を有する箱状の電池収容部１０と、マイナス電極２１及び２３と、プラス電極２２及び２４とを備えている。
電池収容部１０は、長手方向の一端側及び他端側の壁部である短壁部１４及び１５と、短手方向の一端側及び他端側の壁部である長壁部１６及び１７とで囲まれており、内側底部には、その短手方向の中央位置に長手方向の端から端までに延在する敷居部１１が形成されている。
【００１０】
敷居部１１は、短壁部１４及び１５並びに長壁部１６及び１７よりも低く構成されており、収容する乾電池の外形に沿った湾曲面の裾野を有している。即ち、横断面が略山状となる形状に形成されている。
これによって、電池収容部１０には、敷居部１１によって区分けされた、２つの電池室１０ａ及び１０ｂが形成されている。そして、これら２つの電池室１０ａ及び１０ｂにそれぞれ１本ずつ乾電池が収容されるようになっている。
また、電池室１０ａ及び１０ｂの長壁部１６及び１７の内側の下半分は、収容する乾電池の形状に沿って凹型に湾曲して立ち上がった構成となっている。
更に、電池収容部１０の内壁部のプラス電極２２及び２４の取付位置には、乾電池のプラス端子を緩く収容可能な凹部１２及び１３が形成されている。なお、凹部１２及び１３の詳細については後述する。
【００１１】
マイナス電極２１は、電池室１０ａに収容された乾電池のマイナス端子と導通可能に接触する電極であり、短壁部１５の電池室１０ａ側の内壁部１５ｉａに取り付けられている。プラス電極２２は、電池室１０ａに収容された乾電池のプラス端子と導通可能に接触する電極であり、短壁部１４の電池室１０ａ側の内壁部１４ｉａに形成された凹部１２内に取り付けられている。
マイナス電極２３は、電池室１０ｂに収容された乾電池のマイナス端子と導通可能に接触する電極であり、短壁部１４の電池室１０ｂ側の内壁部１４ｉｂに取り付けられている。プラス電極２４は、電池室１０ｂに収容された乾電池のプラス端子と導通可能に接触する電極であり、短壁部１５の電池室１０ｂ側の内壁部１５ｉｂに形成された凹部１３内に取り付けられている。
【００１２】
マイナス電極２１及び２３は、金属製のコイルバネから構成されており、乾電池を収容する時にそのマイナス端子に押されてそれぞれの取付位置の内壁部側に向かって縮むように弾性変形する。そして、そのときの弾性力によって自身を乾電池のマイナス端子に押しつけるように構成されている。
プラス電極２２及び２４は、金属製の板バネから構成されており、乾電池を収容する時にそのプラス端子に押されてそれぞれの取付位置の凹部１２及び１３の奥側に向かって弾性変形する。そして、そのときの弾性力によって自身を乾電池のプラス端子に押しつけるように構成されている。
【００１３】
また、本実施形態において、図示省略するが、マイナス電極２１及びプラス電極２４は電気的に接続されている。即ち、本実施形態の電池収容装置１は、電池室１０ａ及び１０ｂに収容した２本の乾電池を直列接続する構成となっている。
また、図示省略するが、内壁部１４ｉｂの背面側の外壁部１４ｅｂには、マイナス電極２３と導通する端子板（図示略）が設けられている。この端子板は外部端子（−）としての役割を有している。
【００１４】
また、プラス電極２２は、図２及び図４（ａ）に示すように、略Ｕ字状に折曲げられて取り付けられている。具体的に、凹部１２の下部に設けられた貫通孔１８（図４（ａ）参照）を介して内壁部１４ｉａから背面側の外壁部１４ｅａに亘って延在するように取り付けられている。そして、プラス電極２２の内壁部１４ｉａ側の部分である電極部２２ａは乾電池のプラス端子と直接接触する部分である。
【００１５】
一方、凹部１２は、図４（ａ）〜（ｃ）に示すように、電池室１０ａを構成する内壁部１４ｉａの幅方向の中央に形成された下凹部１２１と、下凹部１２１の上部に連通して形成された上凹部１２２とを備えている。以下、凹部１２及び１３の奥行き方向の突き当たりの面を「奥面」と称する。
下凹部１２１は、上端から下端に向かって幅方向にやや末広がりとなる平面視略台形状に凹む凹部から構成されており、この凹部の内壁となる傾斜壁部１２１ａ及び１２１ｂを備えている。更に、下凹部１２１の奥面の下部中央には、上方から下方に向かうに連れて奥側に傾斜する傾斜部１２１ｃが形成されている。
【００１６】
上凹部１２２は、下部側が下端（下凹部１２１の上端）から上方に向かって幅方向に末広がりとなる平面視で略台形状に凹む凹部から形成されている。加えて、上部側が下部側の上端の幅の辺を有する平面視で略矩形状に凹む凹部から構成されている。上凹部１２２は、下部側の内壁を形成する傾斜壁部１２２ａ及び１２２ｃと、上部側の内壁を形成する側壁部１２２ｂ及び１２２ｄとを備えている。更に、上凹部１２２は、内壁部１４ｉａの上端まで凹みが形成されており、上部が開放された状態となっている。なお更に、本実施形態において、上凹部１２２の幅Ｌは、乾電池の取り出しを考慮して、収容する乾電池のマイナス端子の直径よりも短く、且つ一般的な成人男性の親指の爪先が入る程度の幅に構成されている。
【００１７】
上凹部１２２の奥面には、略中央位置に、プラス電極２２の上端部を隠すための平面視で略矩形状に開口する貫通孔１２２ｅが形成されている。
また、本実施形態において、下凹部１２１と上凹部１２２の凹みの奥行きは同一且つ均一に形成されており、少なくとも収容する乾電池のプラス端子の長さ以上の深さ（例えば、単三の乾電池で約２．５［ｍｍ］）に構成されている。加えて、凹部１２の幅は、最小となる下凹部１２１の上端部でも収容する乾電池のプラス端子の直径よりも長く、且つ最大となる上凹部１２２の上部側でも収容する乾電池の直径よりも短い寸法に構成されている。
【００１８】
なお、上凹部１２２の奥面側も傾斜壁部１２２ａ及び１２２ｃと同様に、漏斗状となるように裾しぼみ形状を加えてもよい。その場合、上凹部１２２の幅Ｌは、収容する乾電池の直径よりも短い寸法にこだわる必要がなくなる。その理由は、この構成であれば、後述する乾電池を誤って逆向きに収容した逆接続の場合でも、乾電池のマイナス端子は内壁部１４ｉａと接触するので、凹部１２及び１３内のプラス電極２２及び２４と接触することは無いからである。
また、内壁部１４ｉａの凹部１２の周囲の部分は平坦な面に形成されており、この面は、電池室１０ａに乾電池を収容した時にそのプラス端子の周囲の端面と当接して乾電池のプラス端子側を支持する役割を有している。以下、この面を「支持面１４ｓ」と称する場合がある。
【００１９】
また、図４（ａ）に示すように、プラス電極２２の電極部２２ａは、凹部１２の内側に収容されている。具体的に、電極部２２ａは、凹部１２内にて、下凹部１２１の奥側の下端から上凹部１２２の手前側に向かって所定の傾斜角度で斜め上方に起立した姿勢で配設された構成となっている。
ここで、電極部２２ａの傾斜角度及び長さは、電池室１０ａに乾電池を収容した時にプラス端子が電極部２２ａを凹部１２の奥側へと押して両者が導通可能に接触した状態となり且つこの状態で電極部２２ａが凹部１２の奥面に接触しない状態となる傾斜角度及び長さに構成されている。このとき、電極部２２ａは、乾電池のプラス端子に押されることで傾斜角度が小さくなる方向に弾性変形し、その弾性力によって乾電池のプラス端子に自身を押し当てる。
【００２０】
加えて、電極部２２ａの傾斜角度及び長さは、乾電池の未収容時に、電極部２２ａの全体が凹部１２の入口よりも奥側に引っ込んだ状態（例えば、０．５［ｍｍ］程度、奥側に引っ込んだ状態）となる傾斜角度及び長さに構成されている。
更に、電極部２２ａの上端部２２Ｔは、凹部１２の奥側に向かって湾曲した構成となっている。そして、乾電池の未収容時に上端部２２Ｔの先端部は貫通孔１２２ｅの内側に入った状態に構成されている。即ち、乾電池の収容時はプラス端子によって電極部２２ａが押されて上端部２２Ｔが上凹部１２２の奥面等に当接することなく貫通孔１２２ｅの奥へと入り込むようになっている。また、本実施形態において、貫通孔１２２ｅは、上端部２２Ｔの入り込む長さよりも深く構成されている。
【００２１】
ここで、電池室１０ｂの凹部１３、内壁部１５ｉｂ及びプラス電極２４については、電池室１０ａの凹部１２、内壁部１４ｉａ及びプラス電極２２の電極部２２ａと同様の構成となるので説明を省略する。即ち、電池室１０ｂの凹部１３側の構成としては、図４（ａ）〜（ｃ）の１２で始まる符号を１３に、１４で始まる符号を１５に、２２で始まる符号を２４に置き換えたものと略同一となる。但し、短壁部１５側は外部端子が不要となるので、プラス電極２４は略Ｕ字状に折曲げる必要がなく且つマイナス電極２１と電気的に接続されるため一部構成が異なる（図示略）。また、マイナス電極２１についても外部端子との接続が不要となり且つプラス電極２４と電気的に接続されるため一部構成が異なる（図示略）。
【００２２】
次に、上記構成の電池収容装置１に、乾電池を収容したときの各部の作用について説明する。
図５（ａ）に示すように、電池収容装置１には、電池室１０ａに乾電池Ｂ１が、電池室１０ｂに乾電池Ｂ２が正常な向きで収容されている。乾電池Ｂ１は、長手方向の一端側に突状のプラス端子Ｐ１を有し、他端側に平坦な円盤状のマイナス端子Ｍ１を有する。乾電池Ｂ２は、長手方向の一端側に突状のプラス端子Ｐ２を有し、他端側に平坦な円盤状のマイナス端子Ｍ２を有する。
正常な向きで収容された状態では、乾電池Ｂ１のプラス端子Ｐ１はプラス電極２２と接触し、マイナス端子Ｍ１はマイナス電極２１と接触した状態となっている。加えて、乾電池Ｂ２のプラス端子Ｐ２はプラス電極２４と接触し、マイナス端子Ｍ２はマイナス電極２３と接触した状態となっている。
【００２３】
そして、プラス電極２４とマイナス電極２１とは電気的に接続されているため、乾電池Ｂ１及びＢ２は直列接続された状態となる。この状態で、外部端子（＋）及び外部端子（−）を電子機器の電源回路のプラス端子及びマイナス端子に直接又は電機ケーブルを介して接触させることで電子機器に電力を供給することが可能となっている。ここで、プラス電極２２の外壁部１４ｅａ側の部分である端子部２２ｂは外部端子（＋）としての役割を有し、本実施形態では熱カシメによって固定されている。そのため、端子部２２ｂには、熱カシメ用の突起部を挿通する貫通孔２２ｈ（図４（ａ）参照）が設けられている。
【００２４】
また、乾電池Ｂ１が収容されると、図５（ａ）及び（ｂ）に示すように、プラス端子Ｐ１が凹部１２内に収容された状態になる。加えて、乾電池Ｂ１のプラス端子Ｐ１の周囲の端面である肩部Ｓ１が内壁部１４ｉａの凹部１２の周囲の支持面１４ｓと当接した状態になる。なお、乾電池のプラス極の凸電極以外の蓋部分を「肩部」と称している。
ここで、乾電池Ｂ１の収容時においてプラス端子Ｐ１は、図５（ｂ）に示すように、プラス電極２２と接触してその電極部２２ａを凹部１２の奥側へと押し込む。このとき、電極部２２ａの上端部２２Ｔは、乾電池Ｂ１の収容前においては貫通孔１２２ｅの天井部１２２ｅｃによって上方側から隠れた状態となっているが、乾電池Ｂ１の収容により更に貫通孔１２２ｅの奥へと入り込む。
【００２５】
更に、乾電池Ｂ１の収容後において、電極部２２ａの上端部２２Ｔよりも下方の凹部１２の奥面と最接近する部位と奥面との間には隙間ｄ１が形成された状態となる。この状態では、プラス電極２２とマイナス電極２１の付勢力は、マイナス電極２１の付勢力の方が強いため、乾電池Ｂ１の肩部Ｓ１が支持面１４ｓと当接した状態になっており、プラス端子Ｐ１は、これ以上凹部１２の奥側へと移動できない状態となっている。即ち、乾電池Ｂ１は、電池収容部１０の電池室１０ａのマイナス電極２１側の面及び支持面１４ｓの２面で支持された状態となっている。加えて、上凹部１２２の幅Ｌは乾電池のプラス端子の直径よりも長い寸法に構成されているため、プラス端子Ｐ１には電極部２２ａからの弾性力以外の力がかからない状態となっている。
以上説明した作用については、乾電池Ｂ２の収容された電池室１０ｂ側についても同様となるため、電池室１０ｂ側については説明を省略する。
【００２６】
次に、上記構成の電池収容装置１の電池室１０ａに乾電池を逆方向に収容した場合の凹部１２の作用について説明する。
図６（ａ）に示すように、電池収容装置１には、電池室１０ａに乾電池Ｂ１が逆向きに収容され、電池室１０ｂに乾電池Ｂ２が正常な向きで収容されている。
ここで、電池室１０ｂの下凹部１２１の上端部の幅寸法は、乾電池Ｂ１のプラス端子Ｐ１の凸電極が収まる幅寸法で作成されているため、乾電池Ｂ１のマイナス端子Ｍ１は内壁部１４ｉａに阻まれる。
【００２７】
また、乾電池Ｂ１のマイナス端子Ｍ１の直径は、電池室１０ｂの凹部１２の幅よりも大きく構成され、且つマイナス端子Ｍ１は平坦な構成をしている。そのため、乾電池Ｂ１が逆向きに収容された場合、乾電池Ｂ１のマイナス端子Ｍ１側の端面は、マイナス端子Ｍ１が凹部１２内に入ることなく支持面１４ｓにて支持された状態となる。ここで、プラス電極２２の電極部２２ａは、凹部１２の入口よりも奥側に引っ込んだ位置に配設されているため、図６（ｂ）に示すように、マイナス端子Ｍ１とプラス電極２２の電極部２２ａとの間には、例えば距離ｄ２の隙間が空いている。そのため、電極部２２ａが凹部１２の外側に飛び出してマイナス端子Ｍ１と接触するといったことも起こらないようになっている。
以上説明した作用については、乾電池Ｂ２を逆方向に収容した場合の電池室１０ｂ側についても同様となるため、電池室１０ｂ側については説明を省略する。
【００２８】
（実施形態の作用及び効果）
本実施形態に係る電池収容装置１は、乾電池を収容する電池収容部１０と、電池収容部１０の短壁部１４及び１５の、乾電池のプラス端子と対向する部位である内壁部１４ｉａ及び１５ｉｂに設けられた、乾電池のプラス端子と接触するプラス電極２２及び２４とを備える。加えて、電池収容部１０の短壁部１４及び１５の、乾電池のマイナス端子と対向する部位である内壁部１５ｉａ及び１４ｉｂに設けられた、乾電池のマイナス端子と接触するマイナス電極２１及び２３とを備える。更に、電池収容部１０は、内壁部１４ｉａ及び１５ｉｂに形成された、乾電池のプラス端子を収容する凹部１２及び１３と、凹部１２及び１３の周囲に形成された、乾電池を収容時にそのプラス端子の周囲の端面と当接する支持面１４ｓ及び１５ｓとを備える。
【００２９】
この構成であれば、電池室１０ａ及び１０ｂ内に収容された乾電池のプラス端子を、プラス電極２２及び２４に接した状態で且つ凹部１２及び１３内の奥面と衝突しない状態で収容しつつ、凹部１２及び１３の周囲の支持面１４ｓ及び１５ｓによってプラス端子の周囲の端面を支持することが可能となる。これによって、電池室１０ａのマイナス電極２１側の面と支持面１４ｓとの２面と、電池室１０ｂのマイナス電極２３側の面と支持面１５ｓとの２面とでそれぞれ乾電池を保持することが可能となる。その結果、例えば、電池収容装置１を採用した製品の落下時の衝撃によって乾電池のプラス端子へと乾電池の長さ方向の衝撃や振動の殆どが直接伝わるのを防ぐことが可能となる。その結果、乾電池の長さ方向の衝撃や振動からプラス端子を保護することが可能となる。
【００３０】
また、本実施形態に係る電池収容装置１は、更に、プラス電極２２及び２４が、乾電池の長さ方向に沿って弾性変形する部材（実施形態では板バネ）から構成されている。
この構成であれば、様々な長さ寸法のプラス端子に対して、プラス電極を確実に接触させることが可能となる。
また、本実施形態に係る電池収容装置１は、更に、凹部１２及び１３のプラス端子の収容位置から上方の上凹部１２２及び１３２が、その下方の下凹部１２１及び１３１よりも幅広となっており、上部が開放された構成となっている。
この構成であれば、凹部１２及び１３の奥面と乾電池のプラス端子の上側の端面との間に下凹部１２１及び１３１の幅よりも幅広の隙間を形成することが可能となる。これによって、プラス端子上方の乾電池と凹部の奥面との間に手の指の爪先等を入れ易くすることが可能となるため、乾電池を取り出し易くすることが可能となる。
【００３１】
また、本実施形態に係る電池収容装置１は、更に、上凹部１２２及び１３２の下部側が下端（下凹部１２１及び１３１の上端）から上方に向かって幅方向に末広がりとなる平面視で略台形状に凹む凹部から形成されている。加えて、上凹部１２２及び１３２の上部側が下部側の上端の幅の辺を有する平面視で略矩形状に凹む凹部から構成されている。
この構成であれば、下部側の内壁部である傾斜壁部１２２ａ及び１２２ｃ並びに１３２ａ及び１３２ｃの傾斜面によって、乾電池を収容時にそのプラス端子をその収容位置（下凹部１２１及び１３１）へと案内することが可能となる。これによって、例えば、乾電池のプラス端子を上凹部１２２及び１３２の上部側の側壁部１２２ｂ及び１３２ｂに沿って収容するような場合に、下部側の傾斜壁部１２２ａ及び１３２ａの斜面に沿ってプラス端子をその収容位置（下凹部１２１）へと円滑に収容することが可能となる。
【００３２】
また、本実施形態に係る電池収容装置１は、更に、プラス電極２２及び２４が板バネから構成されている。更に、この板バネのプラス端子と接触する部位である板状の電極部２２ａ及び２４ａは、一端部が凹部１２及び１３の奥側の下方に固定され、他端側が凹部１２及び１３の手前側の上方に向かって斜めに起立した状態で配設されている。そして、この起立した状態の電極部２２ａ及び２４ａが乾電池の収容時にそのプラス端子に押されて弾性変形し凹部１２及び１３の奥側へと押し込まれるように構成されている。更に、電池収容部１０の凹部１２及び１３の奥側へと押し込まれた電極部２２ａ及び２４ａの上端部２２Ｔ及び２４Ｔの上部には、上端部２２Ｔ及び２４Ｔを隠す天井部１２２ｅｃ及び１３２ｅｃが設けられている。
【００３３】
この構成であれば、乾電池を収容時にプラス電極２２及び２４の上端部２２Ｔ及び２４Ｔの先端部を天井部１２２ｅｃ及び１３２ｅｃで乾電池を収容する側から隠すことが可能となる。これによって、電池室１０ａ及び１０ｂから乾電池を取り外すときに誤って爪の間に先端部が入って指先を怪我したり、プラス電極２２及び２４を破損したりするのを防ぐことが可能となる。
また、本実施形態に係る電池収容装置１は、更に、プラス電極２２及び２４は、そのプラス端子との接触部分が凹部１２及び１３の周囲の支持面１４ｓ及び１５ｓよりも内側に位置するように配設されている。
この構成であれば、乾電池を逆向きに収容した場合に、乾電池のマイナス端子と凹部１２及び１３内のプラス電極２２及び２４とが接触しない状態となり、逆接続を防止することが可能となる。
【００３４】
（変形例）
上記実施形態では、凹部１２及び１３の奥面に貫通孔１２２ｅ及び１３２ｅを設け、その天井部１２２ｅｃ及び１３２ｅｃによって、電極部２２ａの上端部２２Ｔの先端部を、乾電池を収容する側から隠す構成とした。この構成に限らず、例えば、凹部１２及び１３を、より奥行きのある凹みに構成して、この凹部の奥面よりも手前の位置に、プラス端子で押し込み後の上端部２２Ｔの先端部が来るようにして、その上部に天井部を設ける構成とするなど他の構成としてもよい。
また、上記実施形態では、板バネから構成されたプラス電極２２の電極部２２ａの上端部２２Ｔをその先端部が斜め上方を向く程度に凹部の奥側に向かって湾曲する構成としたが、この構成に限らない。例えば、上端部２２Ｔに代えて、図７に示すように、先端部が斜め下方を向くように丸められた形状の上端部２２Ｔｒとする構成としてもよい。この構成とした場合は、乾電池を取り出す際に先端部に爪が引っかからなくなるので、図７中に破線で示す天井部１２２ｅｃを不要とすることが可能となる。
【００３５】
また、上記実施形態では、マイナス電極２１及び２３としてコイルバネを採用し、プラス電極２２及び２４として板バネを採用する構成を例に挙げて説明したが、この構成に限らない。例えば、マイナス電極２１及び２３を板バネで構成したり、プラス電極２２及び２４をコイルバネで構成したりするなど他の構成としてもよい。また、同様の作用を奏するのであれば、コイルバネや板バネに限らず他のバネを採用する構成としてもよい。
また、上記実施形態では、２本の乾電池を収容して、その乾電池を直列接続する構成としたが、この構成に限らない。例えば、２本の乾電池を並列接続する構成としてもよい。また、２本の乾電池を収容する構成に限らず、乾電池１本のみを収容する構成や、３本以上を収容する構成とするなど他の構成としてもよい。
【００３６】
また、上記実施形態では、電池収容部１０に乾電池を並列に並べて収容する構成としたが、この構成に限らず、直列に並べて収容する構成や直列に並べる構成と並列に並べる構成とを組み合わせた構成など他の構成としてもよい。直列に並べて収容する構成とした場合は、例えば、電池収容部１０の乾電池同士の境界位置に仕切壁を設け、この仕切壁に中間電極を設けると共に、凹部１２及び１３と同様の構成の凹部を設ける。これによって、直列に並ぶ複数の乾電池のプラス端子を乾電池の長さ方向の衝撃や振動から保護することが可能となる。
【符号の説明】
【００３７】
１    電池収容装置
１０    電池収容部
１０ａ，１０ｂ    電池室
１１    敷居部
１２，１３    凹部
１４，１５    短壁部
１４ｉａ，１４ｉｂ，１５ｉａ，１５ｉｂ    内壁部
１４ｅａ，１４ｅｂ，１５ｅａ，１５ｅｂ    外壁部
１４ｓ，１５ｓ  支持面
１６，１７    長壁部
１８，２２ｈ，１２２ｅ，１３２ｅ    貫通孔
２１，２３    マイナス電極
２２，２４    プラス電極
２２ａ，２４ａ    電極部
２２Ｔ，２４Ｔ    上端部
１２１    下凹部
１２１ａ，１２１ｂ，１２２ａ，１２２ｃ    傾斜壁部
１２２    上凹部
１２２ｂ，１２２ｄ    側壁部
１２２ｅｃ，１３２ｅｃ    天井部
Ｂ１，Ｂ２    乾電池
Ｐ１，Ｐ２    プラス端子
Ｍ１，Ｍ２    マイナス端子
Ｓ１，Ｓ２    肩部
【図１】
2019212555.tif 000003
【図２】
2019212555.tif 000004
【図３】
2019212555.tif 000005
【図４】
2019212555.tif 000006
【図５】
2019212555.tif 000007
【図６】
2019212555.tif 000008
【図７】
2019212555.tif 000009